(57)【特許請求の範囲】
【請求項１】
画像を読み取る読取手段と、
前記読取手段が画像の予備読み取りを行った結果に基づいて前記画像の本読み取りを行う際の読取条件を決定する決定手段と、
前記読取手段が画像の予備読み取りを行った結果に基づいて前記画像の予備読み取りを再度行う必要があるか否かを判定する判定手段と、
画像に対する再度の予備読み取りを行うか否かを選択するための選択手段と、
前記読取手段によって複数の画像の各々に対する予備読み取りを順に行わせ、該予備読み取りの結果から前記決定手段によって決定された読取条件で各画像の本読み取りを行わせると共に、前記判定手段により予備読み取りを再度行う必要があると判定された画像が有り、かつ前記選択手段を介して再度の予備読み取りを行うことが選択された場合にのみ、前記画像に対する予備読み取りを前回と異なる読取条件で再度行わせた後に、該再度の予備読み取りの結果から前記決定手段によって決定された読取条件で前記画像の本読み取りを行わせる制御手段と、
を備え、
前記決定手段は、前記選択手段を介して画像に対する再度の予備読み取りを行わないことが選択され、前記判定手段により予備読み取りを再度行う必要があると判定された画像が有った場合には、前記画像に対して予備読み取りを行った結果に基づいた推定によって、前記画像の本読み取りを行う際の読取条件を決定する
ことを特徴とする画像読取装置。
【請求項２】
前記複数の画像は、長尺状の写真フィルムに順に記録された複数のフィルム画像であり、
前記写真フィルムを搬送する搬送手段を更に備え、
前記制御手段は、搬送手段により写真フィルムを所定方向に搬送させて複数のフィルム画像の各々に対する予備読み取りを順に行わせ、予備読み取りを再度行う必要があると判定されたフィルム画像が有り、かつ前記選択手段を介して再度の予備読み取りを行うことが選択された場合には、予備読み取りを再度行う必要があると判定されたフィルム画像が有ることが判明した時点で複数のフィルム画像の各々に対する予備読み取りを中断し、写真フィルムを前記所定方向と反対の方向に搬送させて前記フィルム画像に対する再度の予備読み取りを行わせるか、複数のフィルム画像の各々に対する予備読み取りが完了した後に、写真フィルムを前記所定方向と反対の方向に搬送させて前記フィルム画像に対する再度の予備読み取りを行わせる
ことを特徴とする請求項１記載の画像読取装置。
【請求項３】
前記決定手段は、前記読取手段が画像の予備読み取りを行った結果に基づいて、前記画像の本読み取りを行うことで得られる画像データに対する画像処理の処理条件も決定することを特徴とする請求項１記載の画像読取装置。
【発明の詳細な説明】
【０００１】
【発明の属する技術分野】
本発明は画像読取装置に係り、特に、画像に対して予備読み取りを行い、予備読み取りの結果に基づいて前記画像の本読み取りを行う際の読取条件を決定し、該読取条件で前記画像の本読み取りを行う画像読取装置に関する。
【０００２】
【従来の技術】
従来より、写真フィルムに記録されているフィルム画像を、ＣＣＤ等の読取センサを備えた画像読取装置によって読み取り、該読み取りによって得られた画像データに対して各種の補正等の画像処理を行った後に、記録材料への画像の記録やディスプレイへの画像の表示等を行う画像処理システムが知られている。また、フィルム画像（特にネガフィルムに記録されたネガ画像）は濃度のばらつきが大きいので、所望の画質の記録画像や表示画像を得るために、画像読取装置ではフィルム画像を予備的に読み取り（所謂プレスキャン）、フィルム画像の濃度等に応じた読取条件（例えばフィルム画像に照射する光の光量やＣＣＤの電荷蓄積時間等）を決定し、決定した読取条件でフィルム画像を読み取っていた（所謂ファインスキャン）。
【０００３】
【発明が解決しようとする課題】
しかしながら、プレスキャンは一定の読取条件で行われるのに対し、特にネガフィルムに記録されたネガ画像の中には、撮影時の露光量が過大であったために濃度が極端に低い画像（露光オーバのネガ画像）が存在していたり、撮影時の露光量が不足していたために濃度が極端に高い画像（露光アンダのネガ画像）が存在していることがある。露光オーバのネガ画像に対するプレスキャンでは、ネガ画像を透過した光の光量が過大になって読取センサで飽和が生じる（例えば読取センサがＣＣＤであれば蓄積電荷の飽和が生ずる）ので、露光オーバのネガ画像を精度良く読み取ることは困難である。また、露光アンダのネガ画像に対するプレスキャンではネガ画像を透過した光の光量が不足するので、同様に露光アンダのネガ画像を精度良く読み取ることは困難である。
【０００４】
ファインスキャン時の読取条件はプレスキャンの結果に基づいて決定されるので、上記のようにプレスキャン時の読み取りの精度の低い画像に対しては、ファインスキャン時の読取条件として適正な読取条件を得ることができず、決定した読取条件でファインスキャンを行ったとしても、画像を精度良く読み取ることができないという問題があった。
【０００５】
特に、ファインスキャンによって得られた画像データを、高画質であることが要求される画像の記録等に用いる場合（例えば記録材料に大サイズで記録する場合等）には、適切な読取条件でファインスキャンを行わないと、その画質が問題となることが多い。
【０００６】
本発明は上記事実を考慮して成されたもので、読取対象の画像中に適正な読取条件が大きく異なる画像が混在していたとしても、各画像を精度良く読み取ることができる画像読取装置を得ることが目的である。
【０００７】
【課題を解決するための手段】
上記目的を達成するために請求項１記載の発明に係る画像読取装置は、画像を読み取る読取手段と、前記読取手段が画像の予備読み取りを行った結果に基づいて前記画像の本読み取りを行う際の読取条件を決定する決定手段と、前記読取手段が画像の予備読み取りを行った結果に基づいて前記画像の予備読み取りを再度行う必要があるか否かを判定する判定手段と、画像に対する再度の予備読み取りを行うか否かを選択するための選択手段と、前記読取手段によって複数の画像の各々に対する予備読み取りを順に行わせ、該予備読み取りの結果から前記決定手段によって決定された読取条件で各画像の本読み取りを行わせると共に、前記判定手段により予備読み取りを再度行う必要があると判定された画像が有り、かつ前記選択手段を介して再度の予備読み取りを行うことが選択された場合にのみ、前記画像に対する予備読み取りを前回と異なる読取条件で再度行わせた後に、該再度の予備読み取りの結果から前記決定手段によって決定された読取条件で前記画像の本読み取りを行わせる制御手段と、を備え、前記決定手段は、前記選択手段を介して画像に対する再度の予備読み取りを行わないことが選択され、前記判定手段により予備読み取りを再度行う必要があると判定された画像が有った場合には、前記画像に対して予備読み取りを行った結果に基づいた推定によって、前記画像の本読み取りを行う際の読取条件を決定することを特徴としている。
【０００８】
請求項１記載の発明では、読取手段が画像の予備読み取りを行った結果に基づいて、決定手段は前記画像の本読み取りを行う際の読取条件を決定し、判定手段は前記画像の予備読み取りを再度行う必要があるか否かを判定する。なお、決定手段による読取条件の決定は、例えば予備読み取りを行った結果から求まる前記画像の特徴量（例えば最大濃度や最小濃度等）に基づいて行うことができる。また、判定手段による予備読み取りを再度行う必要があるか否かの判定は、例えば予備読み取りを行った結果から、前記画像が、標準的な読取条件では精度良く読み取ることが困難であると推定される特徴を有しているか否か（例えば濃度が極端に高い又は極端に低いか否か等）を判断することで行うことができ、上記判断は、例えば予備読み取りを行った結果から求まる前記画像の特徴量（例えば最大濃度、最小濃度、平均濃度等）を閾値と比較することで行うことができる。
【０００９】
一方、制御手段は、読取手段によって複数の画像の各々に対する予備読み取りを順に行わせ、該予備読み取りの結果から決定手段によって決定された読取条件で各画像の本読み取りを行わせる。なお、複数の画像の各々に対する予備読み取りは、例えば予め定められた一定の読取条件（大多数の画像を精度良く読み取ることができる標準的な読取条件）で行うことができる。これにより、標準的な読取条件では精度良く読み取ることが困難であると推定される特徴を有していない大多数の画像（判定手段により予備読み取りを再度行う必要がないと判定される画像）については、前記予備読み取りで精度良く読み取ることができ、決定手段により、本読み取り時の読取条件として適正な読取条件が決定される。
【００１０】
ここで、判定手段により画像の予備読み取りを再度行う必要があると判定された画像に対して無条件に再度の予備読み取りを行うようにした場合、前記画像の本読み取り時の読取精度は向上するものの、前記画像に対して再度の予備読み取りを行わない場合と比較すると、単位時間当りの読取画像数は低下する。これに対し、特に多数の画像を読み取る等の場合には、予備読み取りを再度行う必要があると判定された画像の本読み取り時の読取精度の向上よりも、単位時間当りの読取画像数の維持（単位時間当りの読取画像数の低下の回避）を優先したい場合もある。これを考慮し、請求項１の発明では、画像に対する再度の予備読み取りを行うか否かを選択するための選択手段が設けられており、制御手段は、判定手段により予備読み取りを再度行う必要があると判定された画像が有り、かつ選択手段を介して画像に対する再度の予備読み取りを行うことが選択された場合にのみ、前記画像に対する予備読み取りを前回と異なる読取条件で再度行わせる。この再度の予備読み取りの際の読取条件は、判定手段による判定結果に基づいて、再度の予備読み取りを行う画像毎に決定してもよいし、予備読み取りを再度行う必要があると判定される画像が有している特徴の種類（例えば濃度が極端に高いのか、濃度が極端に低いのか等）毎に読取条件を予め定めておき、予備読み取りを再度行う必要があると判定された画像が有している特徴の種類に対応する読取条件を用いてもよい。
【００１１】
上記のように、予備読み取りを再度行う必要があると判定された画像に対し、画像に対する再度の予備読み取りを行うことが選択された場合に、前回と異なる読取条件で予備読み取りを再度行わせることにより、標準的な読取条件では精度良く読み取ることが困難であると推定される特徴を有している画像を、この再度の予備読み取りにおいて精度良く読み取ることができ、決定手段により、本読み取り時の読取条件として適正な読取条件が決定される。そして制御手段は、前回と異なる読取条件で再度の予備読み取りが行われた画像に対しては、前記再度の予備読み取りの結果から決定手段によって決定された読取条件で前記画像の本読み取りを行わせる。
【００１２】
このように、請求項１の発明では、読取対象の画像中に適正な読取条件が大きく異なる画像（標準的な読取条件では精度良く読み取ることが困難な画像）が混在していたとしても、画像に対する再度の予備読み取りを行うことが選択された場合には、該画像に対して再度の予備読み取りを行うことにより、読取対象の全ての画像について適正な読取条件を得ることができ、読取対象の各画像について各々得られた適正な読取条件を用いて各画像の本読み取りを行うので、読取対象の画像中に適正な読取条件が大きく異なる画像が混在していたとしても、各画像を精度良く読み取ることができる。
【００１３】
また、請求項１の発明では、予備読み取りを再度行う必要があると判定された画像が有り、かつ選択手段を介して再度の予備読み取りを行うことが選択された場合にのみ、前記画像に対する再度の予備読み取りを行わせるので、例えば再度の予備読み取りを行わないことがユーザ等により選択手段を介して選択された場合には、予備読み取りを再度行う必要があると判定された画像が有ったとしても、前記画像に対する再度の予備読み取りは行われない。従って、画像に対する再度の予備読み取りを行うか否かを選択手段を介して選択することにより、予備読み取りを再度行う必要があると判定された画像の本読み取り時の読取精度の向上を優先することも、単位時間当りの読取画像数の維持を優先することも可能となる。
更に、予備読み取りを行った画像が、判定手段によって予備読み取りを再度行う必要があると判定された画像であった場合、前記画像に対する予備読み取りの結果からは、本読み取り時の読取条件として適正な読取条件を精度良く決定することは困難であるが、予備読み取りを再度行う必要があると判定された画像が有している特徴の種類（例えば濃度が極端に高いのか、濃度が極端に低いのか等）から、本読み取り時の適正な読取条件をある程度は推定可能である。上記に基づき請求項１の発明に係る決定手段は、選択手段を介して画像に対する再度の予備読み取りを行わないことが選択され、予備読み取りを再度行う必要があると判定された画像が有った場合に、前記画像に対して予備読み取りを行った結果に基づいた推定によって、前記画像の本読み取りを行う際の読取条件を決定するので、画像に対する再度の予備読み取りを行わないことが選択手段を介して選択された場合に、予備読み取りを再度行う必要があると判定された画像に対して再度の予備読み取りを行うことなく、すなわち単位時間当りの読取画像数の低下を招くことなく、前記画像の本読み取り時の読取精度をある程度向上させることができる。
【００１４】
また、読取対象の複数の画像が、長尺状の写真フィルムに順に記録された複数のフィルム画像であり、搬送手段によって写真フィルムを搬送しながら各フィルム画像の読み取りを行うと共に、選択手段を介して再度の予備読み取りを行うことが選択されている場合、例えば予備読み取りを行い、判定手段による判定が確定する迄待機し、再度の予備読み取りが必要と判定された場合には再度の予備読み取りを行った後に、隣り合う次のフィルム画像に対して同様の処理を行うことを繰り返すことで、各フィルム画像の予備読み取りを行うことも可能ではあるが、上記の方式では予備読み取りに時間がかかるという問題がある。
【００１５】
このため、請求項２に記載したように、制御手段は、搬送手段により写真フィルムを所定方向に搬送させて複数のフィルム画像の各々に対する予備読み取りを順に行わせ、予備読み取りを再度行う必要があると判定されたフィルム画像が有り、かつ前記選択手段を介して再度の予備読み取りを行うことが選択された場合には、予備読み取りを再度行う必要があると判定されたフィルム画像が有ることが判明した時点で複数のフィルム画像の各々に対する予備読み取りを中断し、写真フィルムを前記所定方向と反対の方向に搬送させて前記フィルム画像に対する再度の予備読み取りを行わせるか、複数のフィルム画像の各々に対する予備読み取りが完了した後に、写真フィルムを前記所定方向と反対の方向に搬送させて前記フィルム画像に対する再度の予備読み取りを行わせることが好ましい。
【００１６】
請求項２の発明では、複数のフィルム画像の各々に対する予備読み取りと、判定手段による予備読み取りを再度行う必要があるか否かの判定と、が並列に行われるので、次のフィルム画像に対する予備読み取りを、判定手段による判定が確定する迄待機する必要はない。このため、前述した方式のように、判定手段が予備読み取りを再度行う必要があるか否かを各フィルム画像に対して判定するのに要する時間分だけフィルム画像の予備読み取りに要する時間が増大することはなく、フィルム画像の予備読み取りに要する時間を短縮することができる。
【００１７】
なお、予備読み取りを再度行う必要があると判定されたフィルム画像が有ることが判明した時点で複数のフィルム画像の各々に対する予備読み取りを中断し、前記フィルム画像に対する再度の予備読み取りを行わせる方式と、複数のフィルム画像の各々に対する予備読み取りが完了した後に、前記フィルム画像に対する再度の予備読み取りを行わせる方式の何れを採用するかについては、判定手段が予備読み取りを再度行う必要があるか否かを単一のフィルム画像に対して判定するのに要する時間、該時間内に写真フィルムが搬送される距離、予備読み取りを再度行う必要があると判定されるフィルム画像の出現頻度を勘案し、フィルム搬送量がより少ないと推定される方式（予備読み取りに要する時間がより短いと推定される方式）を選択すればよい。
【００１８】
また、複数のフィルム画像の各々に対する予備読み取りが完了した後に、写真フィルムを前記所定方向と反対の方向に搬送させて前記フィルム画像に対する再度の予備読み取りを行わせる場合には、写真フィルムを前記所定方向と反対の方向に搬送しながら（或いは前記所定方向と反対の方向に一旦最後まで搬送した後に、前記所定方向に搬送しながら）、予備読み取りを再度行う必要があると判定されたフィルム画像に対する再度の予備読み取りのみを行い、その後、複数のフィルム画像の各々に対する本読み取りを行うようにしてもよい。また、写真フィルムを前記所定方向と反対の方向に搬送しながら（或いは前記所定方向と反対の方向に一旦最後まで搬送した後に、前記所定方向に搬送しながら）、予備読み取りを再度行う必要があると判定されなかったフィルム画像に対しては本読み取りを、予備読み取りを再度行う必要があると判定されたフィルム画像に対しては再度の予備読み取り及び本読み取り（或いは予備読み取りのみ）を各々行うようにしてもよい。
【００１９】
なお、請求項１の発明において、画像の本読み取りを行った結果に対し、前記画像の画像内容等に応じた画像処理を行う場合、決定手段は、例えば請求項３にも記載したように、読取手段が画像の予備読み取りを行った結果に基づいて、画像の本読み取りを行う際の読取条件を決定することに加えて、画像の本読み取りを行うことで得られる画像データに対する画像処理の処理条件も決定するようにしてもよい。画像の本読み取りを行った結果に対する画像処理の処理条件の決定には時間がかかることが一般的であるが、画像の予備読み取りを行った結果に基づいて処理条件を決定すれば、画像の本読み取りを行った結果に対する画像処理を短時間で完了させることができる。
【００２６】
【発明の実施の形態】
以下、図面を参照して本発明の実施形態の一例を詳細に説明する。
【００２７】
〔第１比較例〕
以下では、まず本第１比較例に係るディジタルラボシステムについて説明する。
【００２８】
（システム全体の概略構成）
図１には本比較例に係るディジタルラボシステム１０が示されている。このラボシステム１０は、エリアＣＣＤスキャナ１２、ラインＣＣＤスキャナ１４、及び画像処理部１６を備えた入力部と、レーザプリンタ部１８及びプロセッサ部２０を備えた出力部と、で構成されている。なお、エリアＣＣＤスキャナ１２及びラインＣＣＤスキャナ１４は本発明の読取手段に対応している。
【００２９】
エリアＣＣＤスキャナ１２及びラインＣＣＤスキャナ１４は、ネガフィルムやリバーサルフィルム等の写真フィルムに記録されているフィルム画像を読み取るためのものであり、例えばエリアＣＣＤスキャナ１２は１３５サイズの写真フィルム、１１０サイズの写真フィルム、及び透明な磁気層が形成された写真フィルム（２４０サイズの写真フィルム：所謂ＡＰＳフィルム）のフィルム画像を読取対象とし、ラインＣＣＤスキャナ１４は１２０サイズ及び２２０サイズ（ブローニサイズ）の写真フィルムのフィルム画像を読取対象とすることができる。
【００３０】
エリアＣＣＤスキャナ１２及びラインＣＣＤスキャナ１４は、上記の読取対象のフィルム画像をエリアＣＣＤ又はラインＣＣＤで読み取り、画像データを出力する。なお、ディジタルラボシステム１０は、必ずしもエリアＣＣＤスキャナ１２及びラインＣＣＤスキャナ１４の両方を備えている必要はなく、例えばフィルム画像の読み取りを行う写真フィルムのサイズが限られている場合は、エリアＣＣＤスキャナ１２及びラインＣＣＤスキャナ１４の何れか一方（例えばエリアＣＣＤスキャナ１２）のみを設けることも可能である。
【００３１】
画像処理部１６は、エリアＣＣＤスキャナ１２やラインＣＣＤスキャナ１４から出力された画像データ（スキャン画像データ）が入力されると共に、デジタルカメラでの撮影によって得られた画像データ、フィルム画像以外の原稿（例えば反射原稿等）をスキャナで読み取ることで得られた画像データ、コンピュータで生成された画像データ等（以下、これらをファイル画像データと総称する）を外部から入力する（例えば、メモリカード等の記憶媒体を介して入力したり、通信回線を介して他の情報処理機器から入力する等）ことも可能なように構成されている。
【００３２】
画像処理部１６は、入力された画像データに対して各種の補正等の画像処理を行って、記録用画像データとしてレーザプリンタ部１８へ出力する。また、画像処理部１６は、画像処理を行った画像データを画像ファイルとして外部へ出力する（例えばメモリカード等の記憶媒体に出力したり、通信回線を介して他の情報処理機器へ送信する等）ことも可能とされている。
【００３３】
レーザプリンタ部１８はＲ、Ｇ、Ｂのレーザ光源を備えており、画像処理部１６から入力された記録用画像データに応じて変調したレーザ光を印画紙に照射して、走査露光によって印画紙に画像を記録する。また、プロセッサ部２０は、レーザプリンタ部１８で走査露光によって画像が記録された印画紙に対し、発色現像、漂白定着、水洗、乾燥の各処理を施す。これにより、印画紙上に画像が形成される。
【００３４】
（エリアＣＣＤスキャナの構成）
次にエリアＣＣＤスキャナ１２の構成について説明する。図２にはエリアＣＣＤスキャナ１２の光学系の概略構成が示されている。この光学系は、ハロゲンランプやメタルハライドランプ等から成り写真フィルム２２に光を照射する光源３０を備えており、光源３０の光射出側には、写真フィルム２２に照射する光の光量を調節するための絞り３２、色分解フィルタユニット３４、写真フィルム２２に照射する光を拡散光とする光拡散ボックス３６が順に配置されている。色分解フィルタユニット３４は、Ｒ、Ｇ、Ｂの色分解フィルタ３４Ｒ、３４Ｇ、３４Ｂが、図２矢印Ａ方向に沿って回転可能とされたターレット３４Ａに嵌め込まれて構成されている。
【００３５】
写真フィルム２２は、フィルムキャリア３８（図５参照、図２では図示省略）によってフィルム画像の画面中心が光軸Ｌに一致するように位置決めされる。なお、図２では長尺状の写真フィルム２２を示しているが、１コマ毎にスライド用のホルダに保持されたスライドフィルム（リバーサルフィルム）やＡＰＳフィルムについては、各々専用のフィルムキャリアが用意されており（ＡＰＳフィルム用のフィルムキャリアは磁気層に磁気記録された情報を読み取る磁気ヘッドを有している）、これらの写真フィルムのフィルム画像を位置決めすることも可能とされている。
【００３６】
写真フィルム２２を挟んで光源３０と反対側には、光軸Ｌに沿って、フィルム画像を透過した光を結像させるレンズユニット４０、エリアＣＣＤ４２が順に配置されている。図２ではレンズユニット４０として単一のレンズのみを示しているが、レンズユニット４０は、実際には複数枚のレンズから構成されたズームレンズである。エリアＣＣＤ４２は多数のＣＣＤセルがマトリックス状に配列されたモノクロのＣＣＤであり、受光面がレンズユニット４０の結像点位置に一致するように配置されている。
【００３７】
また、エリアＣＣＤ４２にはピエゾアクチュエータ４４Ｘ、４４Ｙが取付けられている。ピエゾアクチュエータは電圧を加えると歪んで変位を発生するものであり、ピエゾアクチュエータ４４Ｘ、４４Ｙは、変位の発生方向がエリアＣＣＤ４２の画素の配列方向（図２の矢印Ｘ方向及び矢印Ｙ方向）に沿うように配置されている。また、図示は省略するが、エリアＣＣＤ４２とレンズユニット４０との間にはシャッタが設けられている。
【００３８】
図３にはエリアＣＣＤスキャナ１２の電気系の概略構成が示されている。コントロール基板には、エリアＣＣＤスキャナ１２全体の制御を司るマイクロプロセッサ４６が搭載されている。マイクロプロセッサ４６にはモータドライバ４８が接続されており、モータドライバ４８には、絞り３２をスライド移動させる絞り駆動モータ５０、色分解フィルタユニット３４のターレット３４Ａを回転させるフィルタ駆動モータ５４が接続されている。
【００３９】
マイクロプロセッサ４６は、図示しない電源スイッチのオンオフに連動して光源３０を点消灯させる。また、マイクロプロセッサ４６は、エリアＣＣＤ４２によるフィルム画像の読み取り（測光）を行う際に、フィルタ駆動モータ５４によってターレット３４Ａを回転させる。従ってフィルム画像は、エリアＣＣＤ４２により各成分色毎に順に読み取られることになる。またマイクロプロセッサ４６は、絞り駆動モータ５０により絞り３２をスライド移動させ、エリアＣＣＤ４２に入射される光量を調節する。
【００４０】
また、マイクロプロセッサ４６にはピエゾドライバ６０を介してピエゾアクチュエータ４４Ｘ、４４Ｙが接続されている。マイクロプロセッサ４６は、単一のフィルム画像に対し、エリアＣＣＤ４２によって各成分色毎に各々４回読み取りを行わせると共に、各回の読み取りにおいて、ピエゾアクチュエータ４４Ｘ、４４Ｙにより、エリアＣＣＤ４２の位置を図２のＸ方向又はＹ方向に移動させる。
【００４１】
また、マイクロプロセッサ４６にはバス６２を介してＲＡＭ６４（例えばＳＲＡＭ）、ＲＯＭ６６（例えば記憶内容を書換え可能なＲＯＭ）が接続されていると共に、モータドライバ６８が接続されている。モータドライバ６８には、レンズユニット４０の複数枚のレンズの位置を相対的に移動させることでレンズユニット４０のズーム倍率を変更するズーム駆動モータ７０、レンズユニット４０全体を移動させることでレンズユニット４０の結像点位置を光軸Ｌに沿って移動させるレンズ駆動モータ１０６が接続されている。マイクロプロセッサ４６は、フィルム画像のサイズやトリミングを行うか否か等に応じて、ズーム駆動モータ７０によってレンズユニット４０のズーム倍率を所望の倍率に変更する。
【００４２】
一方、エリアＣＣＤ４２は、タイミングジェネレータ７４と共にＣＣＤ基板に搭載されている。タイミングジェネレータ７４は、エリアＣＣＤ４２や後述するＡ／Ｄ変換器８２等を動作させるための各種のタイミング信号（クロック信号）を発生する。
【００４３】
エリアＣＣＤ４２の信号出力端は、ＣＣＤ基板に搭載された増幅器７６、コントロール基板に搭載された増幅器７８、８０を介してＡ／Ｄ変換器８２に接続されている。Ａ／Ｄ変換器８２の出力端は、相関二重サンプリング回路（ＣＤＳ）８８を介してインタフェース（Ｉ／Ｆ）回路９０に接続されている。ＣＤＳ８８では、フィードスルー信号のレベルを表すフィードスルーデータ及び画素信号のレベルを表す画素データを各々サンプリングし、各画素毎に画素データからフィードスルーデータを減算する。そして、演算結果（各ＣＣＤセルでの蓄積電荷量に正確に対応する画素データ）を、Ｉ／Ｆ回路９０を介してスキャン画像データとして画像処理部１６へ順次出力する。
【００４４】
また、モータドライバ６８には、シャッタを開閉させるシャッタ駆動モータ９２が接続されている。エリアＣＣＤ４２の暗出力については、後段の画像処理部１６で補正されるが、暗出力レベルは、フィルム画像の読み取りを行っていないときに、マイクロプロセッサ４６がシャッタを閉止させることで得ることができる。
【００４５】
（ラインＣＣＤスキャナの構成）
次にラインＣＣＤスキャナ１４の構成について説明する。なお、エリアＣＣＤスキャナ１２と同一の部分には同一の符号を付して説明を省略し、エリアＣＣＤスキャナ１２と異なる部分についてのみ説明する。
【００４６】
図４にはラインＣＣＤスキャナ１４の光学系の概略構成が示されている。この光学系は、光源３０と光拡散ボックス３６との間に、絞り３２及び色分解フィルタユニット３４に代えて、Ｃ（シアン）、Ｍ（マゼンダ）、Ｙ（イエロー）の調光フィルタ１１４Ｃ、１１４Ｍ、１１４Ｙが射出光の光軸Ｌに沿って順に設けられており、エリアＣＣＤ４２に代えてラインＣＣＤ１１６が設けられている。本比較例では、ラインＣＣＤ１１６として、ＣＣＤセルがライン状に配列されて成るＣＣＤセル列が３ライン設けられ、各ラインの光入射側にＲ、Ｇ、Ｂの色分解フィルタの何れかが各々取付けられた３ラインカラーＣＣＤを用いている。
【００４７】
ラインＣＣＤスキャナ１４の電気系の構成については図示を省略するが、フィルタ駆動モータ５４は、調光フィルタ１１４Ｃ、１１４Ｍ、１１４Ｙを各々独立に移動可能とされている。また、ラインＣＣＤ１１６からはＲ、Ｇ、Ｂの測光信号が並列に出力されるので、図３に示した増幅器７６、７８、８０、Ａ／Ｄ変換器８２、ＣＤＳ８８から成る信号処理系も３系統設けられており、Ｉ／Ｆ回路９０からは、スキャン画像データとしてＲ、Ｇ、Ｂの画像データが並列に出力される。
【００４８】
（画像処理部の構成）
次に画像処理部１６の構成について図５を参照して説明する。画像処理部１６は、エリアＣＣＤスキャナ１２に対応してエリアスキャナ補正部１２０が設けられていると共に、ラインＣＣＤスキャナ１４に対応してラインスキャナ補正部１２２が設けられている。
【００４９】
エリアスキャナ補正部１２０は、暗補正回路１２４、欠陥画素補正部１２８、明補正回路１３０を備えている。暗補正回路１２４は、エリアＣＣＤ４２の光入射側がシャッタにより遮光されている状態で、エリアＣＣＤスキャナ１２から入力された画像データ（エリアＣＣＤ４２の暗出力レベルを表すデータ）を各画素毎に記憶しておき、エリアＣＣＤスキャナ１２から入力されたスキャン画像データから各画素毎に前記暗出力レベルを減ずることによって補正する。
【００５０】
また、エリアＣＣＤ４２の光電変換特性は各ＣＣＤセル単位でのばらつきもある。欠陥画素補正部１２８の後段の明補正回路１３０では、エリアＣＣＤスキャナ１２に画面全体が一定濃度の調整用のフィルム画像がセットされている状態で、エリアＣＣＤ４２で前記調整用のフィルム画像を読み取ることによりエリアＣＣＤスキャナ１２から入力された調整用のフィルム画像の画像データ（この画像データが表す各画素毎の濃度のばらつきは各ＣＣＤセルの光電変換特性のばらつきに起因する）に基づいて各画素毎にゲインを定めておき、エリアＣＣＤスキャナ１２から入力された読取対象のフィルム画像の画像データを各画素毎に補正する。
【００５１】
一方、調整用のフィルム画像の画像データにおいて、特定の画素の濃度が他の画素の濃度と大きく異なっていた場合には、前記特定の画素に対応するＣＣＤセルには何らかの異常があり、前記特定の画素は欠陥画素と判断できる。欠陥画素補正部１２８は調整用のフィルム画像の画像データに基づき欠陥画素のアドレスを記憶しておき、エリアＣＣＤスキャナ１２から入力された読取対象のフィルム画像の画像データのうち、欠陥画素のデータについては周囲の画素のデータから補間してデータを新たに生成する。
【００５２】
ラインスキャナ補正部１２２は、上記の暗補正回路１２４、欠陥画素補正部１２８、明補正回路１３０から成る信号処理系が３系統設けられており、ラインＣＣＤスキャナ１４から並列に出力されるＲ、Ｇ、Ｂの画像データを並列に処理する。また、ラインＣＣＤ１１６は３本のライン（ＣＣＤセル列）が写真フィルム２２の搬送方向に沿って所定の間隔を空けて順に配置されているので、ラインＣＣＤスキャナ１４からＲ、Ｇ、Ｂの各成分色の画像データの出力が開始されるタイミングには時間差がある。ラインスキャナ補正部１２２は、フィルム画像上で同一の画素のＲ、Ｇ、Ｂの画像データが同時に出力されるように、各成分色毎に異なる遅延時間で画像データの出力タイミングの遅延を行う。
【００５３】
エリアスキャナ補正部１２０及びラインスキャナ補正部１２２の出力端はセレクタ１３２の入力端に接続されており、補正部１２０、１２２から出力された画像データはセレクタ１３２に入力される。また、セレクタ１３２の入力端は入出力コントローラ１３４のデータ出力端にも接続されており、入出力コントローラ１３４からは、外部から入力されたファイル画像データがセレクタ１３２に入力される。セレクタ１３２の出力端は入出力コントローラ１３４、イメージプロセッサ部１３６Ａ、１３６Ｂのデータ入力端に各々接続されている。セレクタ１３２は、入力された画像データを、入出力コントローラ１３４、イメージプロセッサ部１３６Ａ、１３６Ｂの各々に選択的に出力可能とされている。
【００５４】
イメージプロセッサ部１３６Ａは、メモリコントローラ１３８、イメージプロセッサ１４０、３個のフレームメモリ１４２Ａ、１４２Ｂ、１４２Ｃを備えている。フレームメモリ１４２Ａ、１４２Ｂ、１４２Ｃは各々単一のフィルム画像の画像データを記憶可能な容量を有しており、セレクタ１３２から入力された画像データは３個のフレームメモリ１４２の何れかに記憶されるが、メモリコントローラ１３８は、入力された画像データの各画素のデータが、フレームメモリ１４２の記憶領域に一定の順序で並んで記憶されるように、画像データをフレームメモリ１４２に記憶させる際のアドレスを制御する。
【００５５】
イメージプロセッサ１４０は、フレームメモリ１４２に記憶された画像データを取込み、階調変換、色変換、画像の超低周波明るさ成分の階調を圧縮するハイパートーン処理、粒状を抑制しながらシャープネスを強調するハイパーシャープネス処理等の各種の画像処理を行う。なお、上記の画像処理の処理条件は、オートセットアップエンジン１４４（後述）によって自動的に演算され、演算された処理条件に従って画像処理が行われる。イメージプロセッサ１４０は入出力コントローラ１３４に接続されており、画像処理を行った画像データは、フレームメモリ１４２に一旦記憶された後に、所定のタイミングで入出力コントローラ１３４へ出力される。なお、イメージプロセッサ部１３６Ｂは、上述したイメージプロセッサ部１３６Ａと同一の構成であるので説明を省略する。
【００５６】
ところで、本比較例では個々のフィルム画像に対し、エリアＣＣＤスキャナ１２又はラインＣＣＤスキャナ１４において読み取りを２回行う。１回目の読み取り（以下、プレスキャンという）では、フィルム画像の濃度が極端に低い場合（例えばネガフィルムにおける露光オーバのネガ画像）にも、エリアＣＣＤ４２又はラインＣＣＤ１１６で蓄積電荷の飽和が生じないように決定した読取条件（写真フィルムに照射する光のＲ、Ｇ、Ｂの各波長域毎の光量、ＣＣＤの電荷蓄積時間）でフィルム画像の読み取りが行われる。このプレスキャンによって得られた画像データ（プレスキャン画像データ）は、セレクタ１３２から入出力コントローラ１３４に入力され、更に入出力コントローラ１３４に接続されたオートセットアップエンジン１４４に出力される。
【００５７】
オートセットアップエンジン１４４は、ＣＰＵ１４６、ＲＡＭ１４８（例えばＤＲＡＭ）、ＲＯＭ１５０（例えば記憶内容を書換え可能なＲＯＭ）、入出力ポート１５２を備え、これらがバス１５４を介して互いに接続されて構成されている。
【００５８】
オートセットアップエンジン１４４は、フィルム画像のプレスキャンを行う際の読取条件を決定すると共に、入出力コントローラ１３４からプレスキャン画像データが入力されると、該画像データに基づきフィルム画像を解析して撮影時の露光量や撮影光源種等を判断し、同一のフィルム画像を再度読み取る際（以下、この読み取りをファインスキャンという）の読取条件（光量調整量及びＣＣＤの電荷蓄積時間の調整量）を個々のフィルム画像毎に決定する。決定した読取条件はファインスキャンを行うスキャナ（エリアＣＣＤスキャナ１２又はラインＣＣＤスキャナ１４）に出力され、絞り３２又は調光フィルタ１１４Ｃ、１１４Ｍ、１１４Ｙの位置が調整されることでフィルム画像に照射される各成分色毎の光量が個々のフィルム画像単位で調整されると共に、エリアＣＣＤ４２又はラインＣＣＤ１１６の電荷蓄積時間が個々のフィルム画像単位で調整されてファインスキャンが行われる。
【００５９】
また、オートセットアップエンジン１４４は、入出力コントローラ１３４から入力された複数コマ分のフィルム画像のプレスキャン画像データに基づいて、ファインスキャンによって得られた画像データ（ファインスキャン画像データ）に対する画像処理の処理条件を演算し、演算した処理条件をイメージプロセッサ部１３６のイメージプロセッサ１４０へ出力する。この画像処理の処理条件の演算では、撮影時の露光量、撮影光源種やその他の特徴量から類似のシーンを撮影した複数のフィルム画像が有るか否か判定し、類似のシーンを撮影した複数のフィルム画像が有った場合には、これらのフィルム画像のファインスキャン画像データに対する画像処理の処理条件が同一又は近似するように決定する。
【００６０】
なお、画像処理の最適な処理条件は、画像処理後の画像データを、レーザプリンタ部１８における印画紙への画像の記録に用いるのか、外部へ出力するのか等によっても変化する。画像処理部１６には２つのイメージプロセッサ部１３６Ａ、１３６Ｂが設けられているので、例えば、画像データを印画紙への画像の記録に用いると共に外部へ出力する等の場合には、オートセットアップエンジン１４４は各々の用途に最適な処理条件を各々演算し、イメージプロセッサ部１３６Ａ、１３６Ｂへ出力する。これにより、イメージプロセッサ部１３６Ａ、１３６Ｂでは、同一のファインスキャン画像データに対し、互いに異なる処理条件で画像処理が行われる。
【００６１】
更に、オートセットアップエンジン１４４は、入出力コントローラ１３４から入力されたフィルム画像のプレスキャン画像データに基づいて、レーザプリンタ部１８で印画紙に画像を記録する際のグレーバランス等を規定する画像記録用パラメータを算出し、レーザプリンタ部１８に記録用画像データ（後述）を出力する際に同時に出力する。
【００６２】
入出力コントローラ１３４はＩ／Ｆ回路１５６を介してレーザプリンタ部１８に接続されている。画像処理後の画像データを印画紙への画像の記録に用いる場合には、イメージプロセッサ部１３６で画像処理が行われた画像データは、入出力コントローラ１３４からＩ／Ｆ回路１５６を介し記録用画像データとしてレーザプリンタ部１８へ出力される。また、オートセットアップエンジン１４４はパーソナルコンピュータ１５８に接続されている。画像処理後の画像データを画像ファイルとして外部へ出力する場合には、イメージプロセッサ部１３６で画像処理が行われた画像データは、入出力コントローラ１３４からオートセットアップエンジン１４４を介してパーソナルコンピュータ１５８に出力される。
【００６３】
パーソナルコンピュータ１５８は、ＣＰＵ１６０、メモリ１６２、ディスプレイ１６４、キーボード１６６、ハードディスク１６８、ＣＤ−ＲＯＭドライバ１７０、搬送制御部１７２、拡張スロット１７４、画像圧縮／伸長部１７６を備えており、これらがバス１７８を介して互いに接続されて構成されている。搬送制御部１７２はフィルムキャリア３８に接続されており、フィルムキャリア３８による写真フィルム２２の搬送を制御する。また、フィルムキャリア３８にＡＰＳフィルムがセットされた場合には、フィルムキャリア３８がＡＰＳフィルムの磁気層から読み取った情報（例えば画像記録サイズ等）が入力される。
【００６４】
また、メモリカード等の記憶媒体に対してデータの読出し／書込みを行うドライバ（図示省略）や、他の情報処理機器と通信を行うための通信制御装置は、拡張スロット１７４を介してパーソナルコンピュータ１５８に接続される。入出力コントローラ１３４から外部への出力用の画像データが入力された場合には、前記画像データは拡張スロット１７４を介して画像ファイルとして外部（前記ドライバや通信制御装置等）に出力される。また、拡張スロット１７４を介して外部からファイル画像データが入力された場合には、入力されたファイル画像データは、オートセットアップエンジン１４４を介して入出力コントローラ１３４へ出力される。この場合、入出力コントローラ１３４では入力されたファイル画像データをセレクタ１３２へ出力する。
【００６５】
なお、画像処理部１６は、プレスキャン画像データ等をパーソナルコンピュータ１５８に出力し、エリアＣＣＤスキャナ１２やラインＣＣＤスキャナ１４で読み取られたフィルム画像をディスプレイ１６４に表示したり、印画紙に記録することで得られる画像を推定してディスプレイ１６４に表示し、キーボード１６６を介してオペレータにより画像の修正等が指示されると、これを画像処理の処理条件に反映することも可能とされている。
【００６６】
（レーザプリンタ部及びプロセッサ部の構成）
次にレーザプリンタ部１８及びプロセッサ部２０の構成について説明する。図６には、レーザプリンタ部１８の露光部の光学系の構成が示されている。レーザプリンタ部１８は、レーザ光源２１０Ｒ、２１０Ｇ、２１０Ｂの３個のレーザ光源を備えている。レーザ光源２１０ＲはＲの波長のレーザ光を射出する半導体レーザ（ＬＤ）で構成されている。また、レーザ光源２１０Ｇは、ＬＤと、該ＬＤから射出されたレーザ光を１／２の波長のレーザ光に変換する波長変換素子（ＳＨＧ）から構成されており、ＳＨＧからＧの波長のレーザ光が射出されるようにＬＤの発振波長が定められている。同様に、レーザ光源２１０ＢもＬＤとＳＨＧから構成されており、ＳＨＧからＢの波長のレーザ光が射出されるようにＬＤの発振波長が定められている。
【００６７】
レーザ光源２１０Ｒ、２１０Ｇ、２１０Ｂのレーザ光射出側には、各々コリメータレンズ２１２、音響光学光変調素子（ＡＯＭ）２１４が順に配置されている。ＡＯＭ２１４は、入射されたレーザ光が音響光学媒質を透過するように配置されていると共に、ＡＯＭドライバ２１６（図７参照）に接続されており、ＡＯＭドライバ２１６から高周波信号が入力されると、音響光学媒質内を前記高周波信号に応じた超音波が伝搬し、音響光学媒質を透過するレーザ光に音響光学効果が作用して回折が生じ、前記高周波信号の振幅に応じた強度のレーザ光がＡＯＭ２１４から回折光として射出される。
【００６８】
ＡＯＭ２１４の回折光射出側にはポリゴンミラー２１８が配置されており、各ＡＯＭ２１４から回折光として各々射出されたＲ、Ｇ、Ｂの波長の３本のレーザ光は、ポリゴンミラー２１８の反射面上の略同一の位置に照射され、ポリゴンミラー２１８で反射される。ポリゴンミラー２１８のレーザ光射出側にはｆθレンズ２２０、平面ミラー２２２が配置されており、ポリゴンミラー２１８で反射された３本のレーザ光はｆθレンズ２２０を透過し、平面ミラー２２２で反射されて印画紙２２４に照射される。
【００６９】
図７にはレーザプリンタ部１８及びプロセッサ部２０の電気系の概略構成が示されている。レーザプリンタ部１８は画像データを記憶するフレームメモリ２３０を備えている。フレームメモリ２３０はＩ／Ｆ回路２３２を介して画像処理部１６に接続されており、画像処理部１６から入力された記録用画像データ（印画紙２２４に記録すべき画像の各画素毎のＲ、Ｇ、Ｂ濃度を表す画像データ）はＩ／Ｆ回路２３２を介してフレームメモリ２３０に一旦記憶される。フレームメモリ２３０はＤ／Ａ変換器２３４を介して露光部２３６に接続されていると共に、プリンタ部制御回路２３８に接続されている。
【００７０】
露光部２３６は、前述のようにＬＤ（及びＳＨＧ）から成るレーザ光源２１０を３個備えていると共に、ＡＯＭ２１４及びＡＯＭドライバ２１６も３系統備えており、ポリゴンミラー２１８、ポリゴンミラー２１８を回転させるモータを備えた主走査ユニット２４０が設けられている。露光部２３６はプリンタ部制御回路２３８に接続されており、プリンタ部制御回路２３８によって各部の動作が制御される。
【００７１】
印画紙２２４への画像の記録を行う場合、プリンタ部制御回路２３８は、記録用画像データが表す画像を走査露光によって印画紙２２４に記録するために、画像処理部１６から入力された画像記録用パラメータに基づき、記録用画像データに対して各種の補正を行って走査露光用画像データを生成し、フレームメモリ２３０に記憶させる。そして、露光部２３６のポリゴンミラー２１８を回転させ、レーザ光源２１０Ｒ、２１０Ｇ、２１０Ｂからレーザ光を射出させると共に、生成した走査露光用画像データをフレームメモリ２３０からＤ／Ａ変換器２３４を介して露光部２３６へ出力させる。これにより、走査露光用画像データがアナログ信号に変換されて露光部２３６に入力される。
【００７２】
ＡＯＭドライバ２１６は、入力されたアナログ信号のレベルに応じてＡＯＭ２１４に供給する超音波信号の振幅を変化させ、ＡＯＭ２１４から回折光として射出されるレーザ光の強度をアナログ信号のレベル（すなわち、印画紙２２４に記録すべき画像の各画素のＲ濃度及びＧ濃度及びＢ濃度の何れか）に応じて変調する。従って、３個のＡＯＭ２１４からは印画紙２２４に記録すべき画像のＲ、Ｇ、Ｂ濃度に応じて強度変調されたＲ、Ｇ、Ｂのレーザ光が射出され、これらのレーザ光はポリゴンミラー２１８、ｆθレンズ２２０、ミラー２２２を介して印画紙２２４に照射される。
【００７３】
そして、ポリゴンミラー２１８の回転に伴って各レーザ光の照射位置が図６矢印Ｂ方向に沿って走査されることにより主走査が成され、印画紙２２４が図６矢印Ｃ方向に沿って一定速度で搬送されることによりレーザ光の副走査が成され、走査露光によって印画紙２２４に画像が記録される。走査露光によって画像が記録された印画紙２２４はプロセッサ部２０へ送り込まれる。
【００７４】
プリンタ部制御回路２３８にはプリンタ部ドライバ２４２が接続されており、プリンタ部ドライバ２４２には、露光部２３６に対して送風するファン２４４、レーザプリンタ部に装填されたマガジンに収納されている印画紙をマガジンから引き出すためのマガジンモータ２４６が接続されている。また、プリンタ部制御回路２３８には、印画紙２２４の裏面に文字等をプリントするバックプリント部２４８が接続されている。これらのファン２４４、マガジンモータ２４６、バックプリント部２４８はプリンタ部制御回路２３８によって作動が制御される。
【００７５】
また、プリンタ部制御回路２３８には、未露光の印画紙２２４が収納されるマガジンの着脱及びマガジンに収納されている印画紙のサイズを検出するマガジンセンサ２５０、オペレータが各種の指示を入力するための操作盤２５２、プロセッサ部２０で現像等の処理が行われて可視化された画像の濃度を測定する濃度計２５４、プロセッサ部２０のプロセッサ部制御回路２５６が接続されている。
【００７６】
プロセッサ部制御回路２５６には、プロセッサ部２０の機体内の印画紙搬送経路を搬送される印画紙２２４の通過の検出や、処理槽内に貯留されている各種の処理液の液面位置の検出等を行う各種センサ２５８が接続されている。
【００７７】
また、プロセッサ部制御回路２５６には、現像等の処理が完了して機体外に排出された印画紙を所定のグループ毎に仕分けするソータ２６０、処理槽内に補充液を補充する補充システム２６２、ローラ等の洗浄を行う自動洗浄システム２６４が接続されていると共に、プロセッサ部ドライバ２６６を介して、各種ポンプ／ソレノイド２６８が接続されている。これらのソータ２６０、補充システム２６２、自動洗浄システム２６４、及び各種ポンプ／ソレノイド２６８はプロセッサ部制御回路２５６によって作動が制御される。
【００７８】
（フィルムキャリアの構成）
次に図８を参照し、フィルムキャリア３８の構成について説明する。なお、図８は、フィルムキャリア３８がラインＣＣＤスキャナ１４にセットされた状態を示している（但し図８では、調光フィルタ１１４Ｃ、１１４Ｍ、１１４Ｙや光拡散ボックス３６等の図示は省略している）が、フィィルムキャリア３８はエリアＣＣＤスキャナ１２にセットすることも可能である。
【００７９】
フィルムキャリア３８は、光源３０からの射出光の光軸Ｌを中心として両側に各々配置された搬送ローラ対２８０、２８２を備えている。搬送ローラ対２８０、２８２は各々モータ２８４、２８６の駆動力が伝達されて回転され、この搬送ローラ対２８０、２８２の回転に伴い、搬送ローラ対２８０、２８２に挟持された写真フィルム２２は光軸Ｌを横切って搬送される。モータ２８４、２８６はドライバ２８８、２９０を介して搬送制御部１７２（図５も参照）に接続されている。また、写真フィルム２２の搬送路と光軸Ｌとが交差する位置には、光源３０から射出され写真フィルム２２の画像記録範囲外を透過する光を遮光すると共に、遮光範囲を変更可能なマスク２９２が配置されている。
【００８０】
なお、フィルムキャリア３８及び搬送制御部１７２は請求項２に記載の搬送手段に対応している。
【００８１】
（作用）
次に本第１比較例の作用として、写真フィルム２２に記録されたフィルム画像の読み取りを行う際に画像処理部１６のオートセットアップエンジン１４４で実行される読取条件演算処理（図９）及び搬送制御部１７２で実行されるフィルム画像読取処理（図１０）について説明する。なお、以下ではフィルム画像の読み取りを、フィルムキャリア３８がセットされたラインＣＣＤスキャナ１４で行う場合を例に説明する。
【００８２】
読取条件演算処理では、ステップ４００において、フィルム画像に対してプレスキャンを行う際の所定の読取条件をラインＣＣＤスキャナ１４に対して通知すると共に、ラインＣＣＤスキャナ１４及び搬送制御部１７２に対し写真フィルム２２に記録されたフィルム画像に対するプレスキャンの実行を指示する。次のステップ４０２では、プレスキャン画像データが入力されたか否か判定する。前記判定が否定された場合にはステップ４０４へ移行し、１本の写真フィルムに記録されている全てのフィルム画像のプレスキャン画像データが入力されたか否か判定する。この判定も否定された場合にはステップ４０２に戻り、ステップ４０２、４０４の判定を繰り返す。
【００８３】
一方、フィルム画像読取処理では、ステップ５００でプレスキャンの実行が指示されたか否か判定し、判定が肯定されるまで待機する。プレスキャンの実行が指示されるとステップ５００の判定が肯定され、次のステップ５０２において、図１１（Ａ）及び（Ｂ）にも示すように、フィルムキャリア３８は写真フィルム２２をプレスキャンに適した一定の搬送速度で所定方向（以下、便宜的に往路方向という）に搬送する。
【００８４】
ステップ５０４では、ラインＣＣＤ１１６によるフィルム画像読取位置にフィルム画像が到達したか否か判定する。判定が否定された場合には、ステップ５０６で１本の写真フィルムに記録されている全てのフィルム画像の読み取りを行ったか否か判定する。この判定も否定された場合にはステップ５０２に戻り、ステップ５０２〜５０６を繰り返す。ステップ５０４の判定が肯定されると、ステップ５０８において、ラインＣＣＤスキャナ１４のラインＣＣＤ１１６により、オートセットアップエンジン１４４から通知されたプレスキャン時の読取条件に従ってフィルム画像が読み取られ、読み取りによって得られた画像データがプレスキャン画像データとして画像処理部１６に出力される。
【００８５】
ラインＣＣＤ１１６によるフィルム画像読取位置にフィルム画像が到達する毎に、上記のステップ５０８が繰り返されることにより、フィルム画像が写真フィルムの往路方向先頭側から順に（往路方向先頭側から順に１，２，…，ｎのコマ番号を各フィルム画像に付したとすると、コマ番号１，２，…，ｎの順に）読み取られ、読み取りによって得られた画像データがプレスキャン画像データとして画像処理部１６に順に出力される。なお、このプレスキャンにおける読取条件としては、大多数のフィルム画像（濃度が所定範囲内のフィルム画像）を精度良く読み取ることができる標準的な読取条件が用いられる。
【００８６】
読取条件演算処理（図９）では、プレスキャン画像データが入力されるとステップ４０２の判定が肯定されてステップ４０６へ移行し、入力されたプレスキャン画像データに基づき、該プレスキャン画像データが表すフィルム画像の濃度が所定範囲外か否か判定する。
【００８７】
この判定は、例えばフィルム画像の濃度値（例えば最小濃度及び平均濃度）について、標準的な濃度の画像（ネガ画像におけるノーマルネガ等）と濃度が極端に低い画像（ネガ画像におけるオーバネガやスーパーオーバネガ等）との境界に相当する閾値を予め設定しておくと共に、フィルム画像の濃度値（例えば最大濃度及び平均濃度）について、標準的な濃度の画像と濃度が極端に高い画像（ネガ画像におけるアンダネガ等）との境界に相当する閾値を設定しておき、プレスキャン画像データから求まる各種の濃度値を閾値と比較することで行うことができる。このステップ４０６は本発明の判定手段に対応している。
【００８８】
ステップ４０６の判定が肯定された場合には、入力されたプレスキャン画像データに対応するフィルム画像は、先のステップ４００で通知した標準的な読取条件で精度良く読み取れていると判断できるので、ステップ４０８へ移行し、入力されたプレスキャン画像データに基づき、フィルム画像の平均濃度等の特徴量に基づいて同一のフィルム画像に対してファインスキャンを行う際の読取条件を演算し、コマ番号と対応させてＲＡＭ１４８等に記憶する。このステップ４０８は本発明の決定手段に対応している。
【００８９】
次のステップ４１０では、入力されたプレスキャン画像データに基づいて、フィルム画像の撮影時の露光量、撮影光源種やその他の特徴量を求め、求めた特徴量に基づいて、同一のフィルム画像に対してファインスキャンを行うことで得られるファインスキャン画像データに対する画像処理の処理条件を演算する。また、順次入力されるプレスキャン画像データから求まる特徴量を順次比較して類似のシーンを撮影したフィルム画像のデータか否かを判定し、類似のシーンを撮影したフィルム画像については同一又は近似した処理条件となるように処理条件を演算する。そして、処理条件を演算すると、演算した処理条件をコマ番号と対応させてＲＡＭ１４８に記憶した後にステップ４０２に戻る。
【００９０】
一方、ステップ４０６の判定が肯定された場合には、入力されたフィルム画像の濃度が極端に高いか又は極端に低く、先のステップ４００で通知した標準的な読取条件では読み取りの精度が低いので、再プレスキャンが必要と判断できる。このため、本第１比較例ではステップ４０６の判定が肯定されると、該フィルム画像に対する再度のプレスキャンを精度良く行うために、ステップ４１２で再プレスキャン時の読取条件を演算し、演算した再プレスキャン時の読取条件をコマ番号と対応させて記憶した後に、ステップ４０２に戻る。
【００９１】
なお、再プレスキャン時の読取条件は、例えば再プレスキャンを行うフィルム画像の最大濃度や最小濃度等に基づいて、再プレスキャン時にラインＣＣＤ１１６で蓄積電荷の飽和が生ずることなく、かつラインＣＣＤ１１６の各ＣＣＤセルに蓄積される電荷量がなるべく多くなるように定めることができる。また、標準的な濃度に対して高濃度側に偏倚している場合の読取条件と、低濃度側に偏倚している場合の読取条件と、を各々定めておき、再プレスキャンを行うフィルム画像が標準的な濃度に対して高濃度か低濃度かに応じて何れかの読取条件を選択するようにしてもよい。また、標準的な濃度に対する濃度偏倚量に応じて段階的に読取条件を定めておき、該当する読取条件を選択するようにしてもよい。
【００９２】
１本の写真フィルム２２に記録されている全てのフィルム画像のプレスキャン画像データが入力され、入力された全てのプレスキャン画像データに対して上述の処理が行われると、ステップ４０４の判定が肯定されてステップ４２０へ移行し、１本の写真フィルム２２の中に再プレスキャンが必要なフィルム画像が有ったか否かに基づいて、再プレスキャンが必要か否か判定する。
【００９３】
判定が否定された場合にはステップ４５０へ移行し、先に演算してＲＡＭ１４８に記憶した各フィルム画像に対するファインスキャン時の読取条件をラインＣＣＤスキャナ１４に対して通知し、ラインＣＣＤスキャナ１４及び搬送制御部１７２に対し、ファインスキャンの実行を指示する。また、次のステップ４５２では、先に演算してＲＡＭ１４８に記憶した各フィルム画像のファインスキャン画像データに対する画像処理の処理条件をイメージプロセッサ部１３６のイメージプロセッサ１４０へ通知する。
【００９４】
一方、フィルム画像読み取り処理（図１０）では、全てのフィルム画像の読み取りが終了するとステップ５０６の判定が肯定され、次のステップ５１０で再プレスキャンの実行が指示されたか否か判定するが、上記のようにファインスキャンの実行が指示された場合には、ステップ５１０の判定が否定され、ステップ５３０でフィルムキャリア３８により、写真フィルム２２をファインスキャンに適した一定の搬送速度で所定方向と逆の方向（復路方向という）に搬送する。
【００９５】
次のステップ５３２ではラインＣＣＤ１１６によるフィルム画像読取位置にフィルム画像が到達したか否か判定する。判定が否定された場合には、ステップ５３４で１本の写真フィルムに記録されている全てのフィルム画像の読み取りを行ったか否か判定する。この判定も否定された場合にはステップ５３０に戻り、ステップ５３０〜５３４を繰り返す。ステップ５３２の判定が肯定されると、ステップ５３６で、ラインＣＣＤ１１６により、オートセットアップエンジン１４４から通知されたファインスキャン時の読取条件に従ってフィルム画像が読み取られ、読み取りによって得られた画像データがファインスキャン画像データとして画像処理部１６に出力される。
【００９６】
従って、再プレスキャンを行わない場合には、図１１（Ａ）に示すように、全てのフィルム画像に対するプレスキャンが完了すると直ちに、通知されたファインスキャン時の読取条件に従って、ラインＣＣＤ１１６により往路方向末尾側から順に（コマ番号ｎ，ｎ−１，…，１の順に）フィルム画像が読み取られ、得られた画像データがファインスキャン画像データとして画像処理部１６に出力される。そして、ラインＣＣＤスキャナ１４から画像処理部１６に入力された各フィルム画像のファインスキャン画像データは、イメージプロセッサ部１３６において、オートセットアップエンジン１４４で各フィルム画像毎に演算された処理条件に応じた画像処理が施されて出力される。
【００９７】
ところで、読取条件演算処理（図９）においてステップ４２０の判定が肯定された場合（再プレスキャンを行う場合）にはステップ４２２へ移行し、再プレスキャンを行うフィルム画像のコマ番号及び読取条件（先のステップ４１２で記憶したコマ番号及び読取条件）をラインＣＣＤスキャナ１４及び搬送制御部１７２に通知し、ラインＣＣＤスキャナ１４及び搬送制御部１７２に対し、通知したコマ番号に対応するフィルム画像に対する再プレスキャンの実行を指示する。
【００９８】
これにより、フィルム画像読み取り処理（図１０）では、ステップ５１０の判定が肯定されてステップ５１２へ移行し、写真フィルム２２を復路方向に高速で搬送する。ステップ５１４では、ラインＣＣＤ１１６によるフィルム画像読取位置に、通知されたコマ番号に対応するフィルム画像が到達したか否か判定する。判定が否定された場合にはステップ５１６へ移行し、コマ番号が通知された全てのフィルム画像の読み取りが完了したか否か判定する。この判定も否定された場合にはステップ５１２に戻り、ステップ５１２〜５１６を繰り返す。
【００９９】
ステップ５１４の判定が肯定されると、写真フィルム２２の搬送速度をプレスキャンに適した搬送速度に変化させた後にステップ５１８へ移行し、ラインＣＣＤ１１６により、オートセットアップエンジン１４４から通知された再プレスキャン時の読取条件に従ってフィルム画像が読み取られ、読み取りによって得られた画像データが再プレスキャン画像データとして画像処理部１６に出力される。この再プレスキャン時の読取条件は、１回目のプレスキャンで得られたプレスキャン画像データに基づいて演算されたものであるので、再プレスキャンを行うフィルム画像の濃度が極端に高い又は極端に低い場合にも、前記フィルム画像を精度良く読み取ることができる。
【０１００】
ステップ５１８の処理を行うとステップ５１２に戻り、ステップ５１６の判定が肯定される迄、ステップ５１２〜５１６を繰り返す。そしてステップ５１６の判定が肯定されると、ファインスキャンを行うためにステップ５２０でフィルムを所定方向（往路方向）に再度迄搬送した後に、先に説明したステップ５３０へ移行する。
【０１０１】
従って、本第１比較例において再プレスキャンが必要がフィルム画像が有った場合には、図１１（Ｂ）に示すように、写真フィルム２２を復路方向に搬送しながら、通知されたコマ番号に対応するフィルム画像（再プレスキャン実行対象のフィルム画像）についての再プレスキャンがラインＣＣＤ１１６によって行われ、再プレスキャン実行対象の全てのフィルム画像に対する再プレスキャンが完了すると、写真フィルム２２は往路方向に搬送される。
【０１０２】
読取条件演算処理（図９）では、再プレスキャンの実行を指示すると（ステップ４２２）ステップ４２４へ移行し、再プレスキャン画像データが入力されたか否か判定する。前記判定が否定された場合にはステップ４２６へ移行し、先にコマ番号を通知した全てのフィルム画像の再プレスキャン画像データが入力されたか否か判定する。この判定も否定された場合にはステップ４２４に戻り、ステップ４２４、４２６の判定を繰り返す。
【０１０３】
再プレスキャン画像データが入力されると、ステップ４２４の判定が肯定されてステップ４２８へ移行し、入力された再プレスキャン画像データに基づき、同一のフィルム画像に対してファインスキャンを行う際の読取条件を演算し、コマ番号と対応させてＲＡＭ１４８等に記憶する。このステップ４２８も本発明の決定手段に対応している。前述のように、再プレスキャンではフィルム画像の濃度が極端に高い又は極端に低い場合にも精度良く読み取ることができるので、ステップ４２８では、再プレスキャン画像データに基づいて、ファインスキャン時に前記フィルム画像を精度良く読み取ることができる読取条件が得られる。
【０１０４】
次のステップ４３０では、入力された再プレスキャン画像データに基づいて、同一のフィルム画像に対してファインスキャンを行うことで得られるファインスキャン画像データに対する画像処理の処理条件を演算し、演算した処理条件をコマ番号と対応させてＲＡＭ１４８に記憶した後にステップ４２４に戻る。
【０１０５】
そして、全てのパノラマサイズのフィルム画像の再プレスキャン画像データが入力され、入力された全ての再プレスキャン画像データに対してステップ４２８、４３０の処理が行われると、ステップ４２６の判定が肯定されてステップ４５０へ移行し、前述のように各フィルム画像に対するファインスキャンが行われる。なお、ステップ４００、４２０、４２２、４５０は本発明の制御手段に対応している。
【０１０６】
なお、本第１比較例では再プレスキャンの実行が指示された場合に、写真フィルム２２を復路方向に搬送しながら再プレスキャンを行い、指示されたフィルム画像に対する再プレスキャンを完了すると、写真フィルム２２を一旦往路方向に搬送した後に、復路方向に搬送しながら各フィルム画像に対するファインスキャンを行うようにしていたが、これに限定されるものではなく、図１１（Ｄ）に示すように、再プレスキャンの実行が指示された場合に、再プレスキャンが指示されたフィルム画像のうち、写真フィルム２２の往路方向に沿って最も先頭側に記録されているフィルム画像がラインＣＣＤ１１６によるフィルム画像読取位置に位置するように写真フィルム２２を一旦復路方向に搬送した後に、往路方向に搬送しながら指示されたフィルム画像に対する再プレスキャンを行い、続いて復路方向に搬送しながら各フィルム画像に対するファインスキャンを行うようにしてもよいし、図１１（Ｅ）に示すように、再プレスキャンの実行が指示された場合に、写真フィルム２２を復路方向に搬送しながら再プレスキャンを行い、指示されたフィルム画像に対する再プレスキャンを完了すると、更に復路方向に最後まで搬送した後に、往路方向に搬送しながら各フィルム画像に対するファインスキャンを行うようにしてもよい。
【０１０７】
〔第２比較例〕
次に本発明の第２比較例について説明する。なお、本第２比較例は第１比較例と同一の構成であるので、各部分に同一の符号を付して構成の説明を省略し、以下本第２比較例の作用として、本第２比較例に係る読取条件演算処理（図１２）及びフィルム画像読取処理（図１３）について、第１比較例と異なる部分についてのみ説明する。
【０１０８】
図１２に示すように、本第２比較例に係る読取条件演算処理では、入力されたプレスキャン画像データ４０６が表すフィルム画像の濃度が所定範囲外の場合（ステップ４０６の判定が肯定された場合）に、ステップ４１４へ移行し、再プレスキャン時の読取条件を演算した後に、ステップ４１６において、再プレスキャンを行うフィルム画像のコマ番号及び読取条件として、前記入力されたプレスキャン画像データに対応するフィルム画像のコマ番号、ステップ４１４で演算した読取条件をラインＣＣＤスキャナ１４及び搬送制御部１７２に通知し、ラインＣＣＤスキャナ１４及び搬送制御部１７２に対して前記コマ番号のフィルム画像の再プレスキャンの実行を指示する。
【０１０９】
このように、本第２比較例に係る読取条件演算処理では、入力されたプレスキャン画像データに基づき、前記プレスキャン画像データに対応するフィルム画像に対して再プレスキャンが必要と判断すると、直ちに再プレスキャンの実行を指示する。また、本第２比較例では再プレスキャンの実行を指示すると、後述するように各フィルム画像に対するプレスキャンを中断して再プレスキャンが行われるので、再プレスキャン画像データが入力された場合にもステップ４０２の判定が肯定され、入力された再プレスキャン画像データに基づいて、ファインスキャン時の読取条件の演算（ステップ４０８）、画像処理の処理条件の演算（ステップ４１０）が行われる。
【０１１０】
一方、本第２比較例に係るフィルム画像読み取り処理では、図１３に示すように、ステップ５０４の判定が否定された場合には、ステップ５１０で再プレスキャンが指示されたか否か判定する。この判定が否定された場合にはステップ５０６で１本の写真フィルムに記録されている全てのフィルム画像の読み取りを行ったか否か判定し、この判定も否定された場合にはステップ５０２に戻ってステップ５０２〜５０６を繰り返す。そして、ステップ５０４の判定が肯定される毎にステップ５０８で各フィルム画像に対するプレスキャンを順に行うが、ステップ５１０の判定が肯定された場合には、ステップ５４０以降で再プレスキャンの実行が指示されたフィルム画像に対する再プレスキャンを行う。
【０１１１】
すなわちステップ５４０では、ステップ５０８でプレスキャンを完了した最新のフィルム画像のコマ番号を記憶し、次のステップ５４２では写真フィルム２２を復路方向に高速で搬送する。次のステップ５４４では、ラインＣＣＤ１１６によるフィルム画像読取位置に、オートセットアップエンジン１４４から通知されたコマ番号に対応するフィルム画像（再プレスキャンの実行が指示されたフィルム画像）が到達したか否か判定する。判定が否定された場合にはステップ５４２に戻り、写真フィルム２２の復路方向への搬送を継続する。
【０１１２】
ステップ５４４の判定が肯定されると、写真フィルム２２の搬送速度をプレスキャンに適した搬送速度に変化させた後にステップ５４６へ移行し、ラインＣＣＤ１１６により、オートセットアップエンジン１４４から通知された再プレスキャン時の読取条件に従ってフィルム画像が読み取られ、読み取りによって得られた画像データが再プレスキャン画像データとして画像処理部１６に出力される。この再プレスキャンにより、濃度が極端に高い又は極端に低いフィルム画像であっても精度良く読み取ることができる。
【０１１３】
次のステップ５４８では、先のステップ５４０で記憶したコマ番号に対応するフィルム画像（プレスキャンを完了した最新のフィルム画像）がフィルム画像読取位置に到達する迄、写真フィルム２２を往路方向に搬送した後にステップ５０６へ移行し、ステップ５０２〜５０６を再度繰り返す。従って、既にプレスキャンを行ったフィルム画像に対する再プレスキャンの実行が指示されると、図１１（Ｃ）に示すように、各フィルム画像に対するプレスキャンが一時中断され、再プレスキャンの実行が指示されたフィルム画像に対する再プレスキャンを行った後に、各フィルム画像に対するプレスキャンの続きが行われることになる。なお図１１（Ｃ）には、例として２個のフィルム画像に対して再プレスキャンの実行が指示された場合のシーケンスを示している。
【０１１４】
そして、全てのフィルム画像に対するプレスキャンを完了すると共に、再プレスキャンの実行が指示されたフィルム画像に対する再プレスキャンを完了し、かつファインスキャンの実行が指示されるとステップ５０６の判定が肯定され、第１比較例と同様に各フィルム画像に対するファインスキャンが行われる。
【０１１５】
〔実施形態〕
次に本発明の実施形態について説明する。なお、本実施形態は第１比較例及び第２比較例と同一の構成であるので、各部分に同一の符号を付して構成の説明を省略し、以下、本実施形態の作用を説明する。
【０１１６】
本実施形態では、濃度が極端に高い、又は極端に低い等のように、再プレスキャンが必要と判断されるフィルム画像に対して再プレスキャンを行うか否かが、オペレータがキーボード１６６を操作することによって予め指定される。再プレスキャンが必要と判断されるフィルム画像に対して再プレスキャンを行うか否かは、例えば要求されているフィルム画像読取能力や、再プレスキャンが必要と判断されるフィルム画像に対して再プレスキャンを行わない場合に前記フィルム画像をレーザプリンタ部１８で印画紙に記録したときの画質低下の度合い等を勘案してオペレータによって判断される。
【０１１７】
オペレータがキーボード１６６を介して再プレスキャンを行うか否かを指定すると、指定内容を表す情報（再プレスキャンが必要と判断されるフィルム画像に対して再プレスキャンを行うか否かを表す情報）が、オートセットアップエンジン１４４のＲＡＭ１４８に記憶される。このように、キーボード１６６は請求項１に記載の選択手段に対応している。
【０１１８】
次に図１４を参照し、本実施形態に係る読取条件演算処理について、第１比較例と異なる部分についてのみ説明する。本実施形態に係る読取条件演算処理では、入力されたプレスキャン画像データに基づき、該プレスキャン画像データが表すフィルム画像の濃度が所定範囲外であった場合（ステップ４０６の判定が肯定の場合）、ステップ４１１へ移行し、ＲＡＭ１４８に記憶されているオペレータによる指定内容を表す情報に基づいて、再プレスキャンの実行が不許可となっているか否か判定する。
【０１１９】
ＲＡＭ１４８に記憶されている情報が、再プレスキャンが必要と判断されるフィルム画像に対して再プレスキャンを行うことをオペレータが指定したことを表す内容であった場合には、ステップ４１１の判定が否定されてステップ４１２へ移行し、第１比較例と同様に再プレスキャン時の読取条件を演算し、コマ番号と対応させてＲＡＭ１４８に記憶する。この場合、各フィルム画像に対するプレスキャンが終了した後に、再プレスキャンが必要と判断されたフィルム画像（ステップ４０６の判定が肯定されたフィルム画像）に対し、ステップ４１２で演算した読取条件で再プレスキャンが行われる。
【０１２０】
一方、ＲＡＭ１４８に記憶されている情報が、再プレスキャンが必要と判断されるフィルム画像に対して再プレスキャンを行わないことをオペレータが指定したことを表す内容であった場合には、ステップ４１１の判定が肯定されてステップ４１７へ移行する。ステップ４１８では、入力されたプレスキャン画像データに基づいて、該プレスキャン画像データに対応するフィルム画像に対してファインスキャンを行う際の読取条件を推定し、推定した読取条件をＲＡＭ１４８に記憶する。このステップ４１８は、請求項１に記載の決定手段に対応している。
【０１２１】
なお、ファインスキャン時の最適な読取条件は、具体的には、例えばプレスキャン時の読取条件と、入力されたプレスキャン画像データに基づいて、フィルム画像の濃度を推定し、推定したフィルム画像の濃度から推定することができる。これにより、再プレスキャンを行う場合よりは精度は低いものの、ある程度の精度でフィルム画像を読み取ることのできる読取条件を得ることができる。ステップ４１８の処理を行った後はステップ４１０へ移行し、画像処理の処理条件の演算・記憶を行う。
【０１２２】
また本実施形態では、再プレスキャンが必要と判断されるフィルム画像に対して再プレスキャンを行わないことをオペレータが指定した場合には、再プレスキャンが必要と判断されたフィルム画像（ステップ４０６の判定が肯定されたフィルム画像）の有無に拘らず、ステップ４２０の判定が無条件に否定される。そして、再プレスキャンが必要と判断されたフィルム画像については、先のステップ４１８で推定された読取条件でファインスキャンが行われる。なお、このステップ４２０は請求項１に記載の制御手段に対応している。
【０１２３】
このように、本実施形態では再プレスキャンが必要と判断されるフィルム画像に対して再プレスキャンを行わないことをオペレータが指定した場合には、再プレスキャンが必要と判断されたフィルム画像に対する再プレスキャンを行わず、プレスキャン画像データから推定した読取条件でファインスキャンを行うので、キーボード１６６を介し、再プレスキャンを行うか否かをオペレータが選択することで、再プレスキャンを行う必要があると判定されるフィルム画像のファインスキャン時の読み取りの精度の向上を優先することも、フィルム画像読取能力を優先することも可能となる。
【０１２４】
なお、第１比較例及び第２比較例では、再プレスキャンが必要と判断されたフィルム画像が有った場合に、前記フィルム画像に対する再プレスキャンを行った後に各フィルム画像に対するファインスキャンを行うようにしていたが、これに限定されるものではなく、写真フィルムを往路方向又は復路方向に搬送しながら、再プレスキャンが必要と判断されたフィルム画像がフィルム画像読取位置に到達したときには該フィルム画像に対する再プレスキャン（或いは再プレスキャン及びファインスキャン）を行い、再プレスキャンが必要と判断されなかったフィルム画像がフィルム画像読取位置に到達したときには該フィルム画像に対するファインスキャンを行うようにしてもよい。
【０１２５】
また、上記では本発明をラインＣＣＤスキャナ１４におけるフィルム画像の読み取りに適用した場合を説明したが、これに限定されるものではなく、エリアＣＣＤスキャナ１２におけるフィルム画像の読み取りに本発明を適用してもよいことは言うまでもない。
【０１２６】
また、上記では読取条件演算処理をオートセットアップエンジン１４４で行う場合について説明したが、これに限定されるものではなく、例えばオートセットアップエンジン１４４では少なくとも読取条件及び画像処理の処理条件の演算のみを行い、他の処理についてはパーソナルコンピュータ１５８単独で行うようにしてもよいし、パーソナルコンピュータ１５８とオートセットアップエンジン１４４とで分担して行うようにしてもよい。
【０１２７】
更に、上記では同一のＣＣＤでプレスキャン及びファインスキャンを行っていたが、これに限定されるものではなく、プレスキャン専用のＣＣＤ、ファインスキャン専用のＣＣＤを各々に設けてもよい。
【０１２８】
また、上記では写真フィルム２２に記録されているフィルム画像を読取対象画像とした場合を例に説明したが、これに限定されるものではなく、普通紙等の写真フィルム以外の記録媒体に記録された画像を読取対象画像としてもよい。
【０１２９】
また、上記ではフィルム画像の読み取りを行うスキャナとして、読取対象の写真フィルムのサイズが異なるエリアＣＣＤスキャナ１２及びラインＣＣＤスキャナ１４を設けていたが、これに代えて、各種サイズの写真フィルムのフィルム画像を全て読み取り可能なスキャナ（ラインスキャナが好適である）を設けてもよい。
【０１３０】
【発明の効果】
以上説明したように請求項１記載の発明は、画像の予備読み取りを行った結果に基づいて前記画像の予備読み取りを再度行う必要があるか否かを判定する判定手段を設け、複数の画像の各々に対する予備読み取りを順に行わせ、該予備読み取りの結果から決定された読取条件で各画像の本読み取りを行わせると共に、判定手段によって予備読み取りを再度行う必要があると判定された画像が有り、かつ選択手段を介して画像に対する再度の予備読み取りを行うことが選択された場合にのみ、前記画像に対する予備読み取りを前回と異なる読取条件で再度行わせた後に、該再度の予備読み取りの結果から前記決定手段によって決定された読取条件で前記画像の本読み取りを行わせると共に、選択手段を介して画像に対する再度の予備読み取りを行わないことが選択され、予備読み取りを再度行う必要があると判定された画像が有った場合に、前記画像に対して予備読み取りを行った結果に基づく推定によって、前記画像の本読み取りを行う際の読取条件を決定するようにしたので、読取対象の画像中に適正な読取条件が大きく異なる画像が混在していたとしても、各画像を精度良く読み取ることができると共に、予備読み取りを再度行う必要があると判定された画像の本読み取り時の読取精度の向上を優先することも、単位時間当りの読取画像数の維持を優先することも可能となり、画像に対する再度の予備読み取りを行わないことが選択された場合に、単位時間当りの読取画像数の低下を招くことなく前記画像の本読み取り時の読取精度をある程度向上させることもできる、という優れた効果を有する。
【０１３１】
請求項２記載の発明は、請求項１の発明において、写真フィルムを所定方向に搬送させて複数のフィルム画像の各々に対する予備読み取りを順に行わせ、予備読み取りを再度行う必要があると判定されたフィルム画像が有り、かつ前記選択手段を介して再度の予備読み取りを行うことが選択された場合には、予備読み取りを再度行う必要があると判定されたフィルム画像が有ることが判明した時点で複数のフィルム画像の各々に対する予備読み取りを中断し、写真フィルムを反対方向に搬送させて前記フィルム画像に対する再度の予備読み取りを行わせるか、複数のフィルム画像の各々に対する予備読み取りが完了した後に、写真フィルムを反対方向に搬送させて前記フィルム画像に対する再度の予備読み取りを行わせるので、上記効果に加え、フィルム画像の予備読み取りに要する時間を短縮することができる、という効果を有する。
【０１３２】
請求項３記載の発明は、請求項１の発明において、読取手段が画像の予備読み取りを行った結果に基づいて、画像の本読み取りを行うことで得られる画像データに対する画像処理の処理条件も決定するようにしたので、上記効果に加え、画像の本読み取りを行った結果に対する画像処理を短時間で完了させることができる、という効果を有する。
【図面の簡単な説明】
【図１】本実施形態に係るディジタルラボシステムの概略ブロック図である。
【図２】エリアＣＣＤスキャナの光学系の概略構成図である。
【図３】エリアＣＣＤスキャナの電気系の概略構成を示すブロック図である。
【図４】ラインＣＣＤスキャナの光学系の概略構成図である。
【図５】画像処理部の概略構成を示すブロック図である。
【図６】レーザプリンタ部の露光部の光学系の概略構成図である。
【図７】レーザプリンタ部及びプロセッサ部の電気系の概略構成を示すブロック図である。
【図８】フィルムキャリアの概略構成図である。
【図９】第１比較例に係る読取条件演算処理を示すフローチャートである。
【図１０】第１比較例に係るフィルム画像読取処理を示すフローチャートである。
【図１１】（Ａ）は再プレスキャン要のコマが無い場合、（Ｂ）乃至（Ｅ）は再プレスキャン要のコマが有る場合の写真フィルムの搬送及びフィルム画像の読み取りのシーケンスの一例を各々表すタイミングチャートである。
【図１２】第２比較例に係る読取条件演算処理を示すフローチャートである。
【図１３】第２比較例に係るフィルム画像読取処理を示すフローチャートである。
【図１４】本発明の実施形態に係る読取条件演算処理を示すフローチャートである。
【符号の説明】
１２    エリアＣＣＤスキャナ
１４    ラインＣＣＤスキャナ
１６    画像処理部
２２    写真フィルム
３８    フィルムキャリア
１４４    オートセットアップエンジン
１７２    搬送制御部
【図１】
0003688857.tif 000002
【図２】
0003688857.tif 000003
【図３】
0003688857.tif 000004
【図４】
0003688857.tif 000005
【図５】
0003688857.tif 000006
【図６】
0003688857.tif 000007
【図７】
0003688857.tif 000008
【図８】
0003688857.tif 000009
【図９】
0003688857.tif 000010
【図１０】
0003688857.tif 000011
【図１１】
0003688857.tif 000012
【図１２】
0003688857.tif 000013
【図１３】
0003688857.tif 000014
【図１４】
0003688857.tif 000015